【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
仮想デスクトップ環境を提供する第１のサーバ装置と、前記第１のサーバ装置とは異なる第２のサーバ装置とにネットワーク接続され、内蔵ストレージを備えず、外部ストレージを利用することができない、前記仮想デスクトップ環境で動作する電子機器であって、
ファームウェアを格納するファームウェアＲＯＭと、
前記ファームウェアによって、前記第２のサーバ装置からダウンロードされた前記第１のサーバ装置と接続するためのクライアント用の接続ソフトウェアがキャッシュされている不揮発性メモリと、
制御手段と、
を具備し、前記制御手段は、
前記キャッシュした前記接続ソフトウェアに含まれる公衆ネットワークに接続するためのブラウザを起動して、前記公衆ネットワークのアクセスポイントとの第１認証処理を実行し、
前記第１認証処理が成功した前記アクセスポイントを介して前記第２のサーバ装置と通信し、前記第２のサーバ装置との間で第２認証処理を実行し、
前記第２認証処理が成功した前記第２のサーバ装置から得られる接続先情報を用いて前記第１のサーバ装置と接続要求し、
前記接続ソフトウェアに含まれる前記ブラウザを再起動して、前記第１のサーバ装置に接続するログイン画面を表示する、
電子機器。
【請求項２】
前記制御手段は、
電子機器の起動時に電源キーと特定キーとの同時押下により、通常起動モード又は第１認証モードを選択するための画面を表示し、
前記画面から前記第１認証モードが選択されることで、前記ブラウザを起動する請求項１記載の電子機器。
【請求項３】
前記制御手段は、前記電子機器内に保持されているポリシに含まれる前記第１認証モードに関する設定情報に基づいて、前記第１認証モードが有効であるか否かを判定する請求項２記載の電子機器。
【請求項４】
前記ダウンロードされた前記接続ソフトウェアは、電子機器に固有の情報に基づいて生成された鍵を用いて暗号化されて前記不揮発性メモリにキャッシュされている請求項１記載の電子機器。
【請求項５】
前記制御手段は、
前記ポリシに含まれるキャッシュ機能の設定情報に基づいて、前記電子機器のキャッシュ機能が有効であるか否かを判定し、
有効である場合、前記不揮発性メモリに前記接続ソフトウェアがキャッシュされているか否かを判定し、
キャッシュされている場合は、前記接続ソフトウェアに含まれる前記公衆ネットワークに接続するためのブラウザを起動して前記アクセスポイントと接続する
請求項３記載の電子機器。
【請求項６】
前記制御手段は、
前記ブラウザの起動タイミングで、前記第１認証モードのタイムアウト時間を計測するタイマを起動し、
前記第２のサーバ装置との間で前記第２認証処理を実行し、前記第２認証が成功した場合、前記タイマを停止する請求項５記載の電子機器。
【請求項７】
前記制御手段は、前記第２のサーバ装置との通信により、前記ポリシが更新されているか否かを判定し、更新されている場合、更新された前記ポリシを前記第２のサーバ装置から取得する請求項６記載の電子機器。
【請求項８】
前記制御手段は、更新された前記ポリシにおいて、前記第１認証モードおよび前記キャッシュ機能が無効となっている場合、エラー表示して電源をオフにし、
有効である場合は、前記接続ソフトウェアを起動して前記第１のサーバ装置にログインする請求項７記載の電子機器。
【請求項９】
仮想デスクトップ環境を提供する第１のサーバ装置と、前記第１のサーバ装置とは異なる第２のサーバ装置とにネットワーク接続され、ファームウェアを格納するファームウェアＲＯＭと、前記ファームウェアによって、前記第２のサーバ装置からダウンロードされた前記第１のサーバ装置と接続するためのクライアント用の接続ソフトウェアがキャッシュされている不揮発性メモリと、を有し、内蔵ストレージを備えず、外部ストレージを利用することができない、前記仮想デスクトップ環境で動作する電子機器の方法であって、
前記キャッシュした前記接続ソフトウェアに含まれる公衆ネットワークに接続するためのブラウザを起動して、前記公衆ネットワークのアクセスポイントとの第１認証処理を実行することと、
前記第１認証処理が成功した前記アクセスポイントを介して前記第２のサーバ装置と通信し、前記第２のサーバ装置間で第２認証処理を実行することと、
前記第２認証処理が成功した前記第２のサーバ装置から得られる接続先情報を用いて前記第１のサーバ装置と接続要求することと、
前記接続ソフトウェアに含まれる前記ブラウザを再起動して、前記第１のサーバ装置に接続するログイン画面を表示することと、
を具備する方法。
【請求項１０】
仮想デスクトップ環境を提供する第１のサーバ装置と、前記第１のサーバ装置とは異なる第２のサーバ装置とにネットワーク接続され、ファームウェアを格納するファームウェアＲＯＭと、前記ファームウェアによって、前記第２のサーバ装置からダウンロードされた前記第１のサーバ装置と接続するためのクライアント用の接続ソフトウェアがキャッシュされている不揮発性メモリと、を有し、内蔵ストレージを備えず、外部ストレージを利用することができない、前記仮想デスクトップ環境で動作する電子機器のコンピュータによって実行されるプログラムであって、
前記キャッシュした前記接続ソフトウェアに含まれる公衆ネットワークに接続するためのブラウザを起動して、前記公衆ネットワークのアクセスポイントとの第１認証処理を実行する手順と、
前記第１認証処理が成功した前記アクセスポイントを介して前記第２のサーバ装置と通信し、前記第２のサーバ装置間で第２認証処理を実行する手順と、
前記第２認証処理が成功した前記第２のサーバ装置から得られる接続先情報を用いて前記第１のサーバ装置と接続要求する手順と、
前記接続ソフトウェアに含まれる前記ブラウザを再起動して、前記第１のサーバ装置に接続するログイン画面を表示する手順と、
を前記コンピュータに実行させるプログラム。
【手続補正２】
【補正対象書類名】明細書
【補正対象項目名】００１３
【補正方法】変更
【補正の内容】
【００１３】
実施形態に係る電子機器は、仮想デスクトップ環境を提供する第１のサーバ装置と、前記第１のサーバ装置とは異なる第２のサーバ装置とにネットワーク接続され、内蔵ストレージを備えず、外部ストレージを利用することができない、前記仮想デスクトップ環境で動作する電子機器である。前記電子機器は、ファームウェアを格納するファームウェアＲＯＭと、前記ファームウェアによって、前記第２のサーバ装置からダウンロードされた前記第１のサーバ装置と接続するためのクライアント用の接続ソフトウェアがキャッシュされている不揮発性メモリと、制御手段と、を具備する。前記制御手段は、前記キャッシュした前記接続ソフトウェアに含まれる公衆ネットワークに接続するためのブラウザを起動して、前記公衆ネットワークのアクセスポイントとの第１認証処理を実行し、前記第１認証処理が成功した前記アクセスポイントを介して前記第２のサーバ装置と通信し、前記第２のサーバ装置との間で第２認証処理を実行し、前記第２認証処理が成功した前記第２のサーバ装置から得られる接続先情報を用いて前記第１のサーバ装置と接続要求し、前記接続ソフトウェアに含まれる前記ブラウザを再起動して、前記第１のサーバ装置に接続するログイン画面を表示する。
【手続補正３】
【補正対象書類名】明細書
【補正対象項目名】０１８３
【補正方法】変更
【補正の内容】
【０１８３】
一方、ブロックＢ４７においてＷｅｂ認証モードでの動作が有効であると判定され（ブロックＢ４７のＹＥＳ）、かつ、ブロックＢ４８においてキャッシュ機能が有効であると判定された場合（ブロックＢ４８のＹＥＳ）、前述した図６に示すブロックＢ７及びブロックＢ８に相当する処理が実行されて、電子機器１０がＶＤＩサーバ装置４０と接続される（ブロックＢ４９）。具体的には、ＶＤＩ接続用ソフトウェア（に含まれるブラウザ）が起動されてＶＤＩログイン画面が電子機器１０のディスプレイに表示されると共に、当該ＶＤＩログイン画面に対してＶＤＩ接続先情報（に含まれる資格情報）が入力されることにより、電子機器１０はＶＤＩサーバ装置４０に自動的にログインすることができる。このようにＶＤＩサーバ装置４０にログインした電子機器１０は、上述したように仮想デスクトップ環境で動作することが可能となる。